(57)【特許請求の範囲】
【請求項１】
テール部分および巻き始め部分にシール糊を塗布して成るロールペーパー類において、
ロール状に巻かれたトイレットペーパーまたはペーパータオルのテール部分および巻き始め部分には、前記シール糊に剥離調整剤として前記シール糊の全重量に対し０．５％〜１０％のモノステアリン酸ポリエチレングリコールを加えたグルーが塗布されており、
前記テール部分および巻き始め部分に塗布された前記グルーの乾燥後に、テンシロン万能試験機による１８０度剥離試験（引っ張りスピード：３００ｍｍ／ｍｉｎ、試験片：１５０×１１４ｍｍ）で求めた前記テール部分の乾燥剥離強度が２２０ｇ〜３６０ｇである
ことを特徴とするロールペーパー類。
【請求項２】
テール部分および巻き始め部分にシール糊を塗布して成るロールペーパー類において、
ロール状に巻かれたトイレットペーパーまたはペーパータオルのテール部分および巻き始め部分には、前記シール糊に剥離調整剤として前記シール糊の全重量に対し０．１％〜５％のポリオキシエチレンヤシ油脂肪酸エタノールアミドを加えたグルーが塗布されており、
前記テール部分および巻き始め部分に塗布された前記グルーの乾燥後に、テンシロン万能試験機による１８０度剥離試験（引っ張りスピード：３００ｍｍ／ｍｉｎ、試験片：１５０×１１４ｍｍ）で求めた前記テール部分の乾燥剥離強度が２１０ｇ〜３５０ｇである
ことを特徴とするロールペーパー類。
【請求項３】
前記シール糊は、でんぷん、ポリビニルアルコールまたはカルボキシメチルセルロースを各単独もしくは２種類ないしは３種類を混合したものを主成分とすることを特徴とする請求項１または２記載のロールペーパー類。
【発明の詳細な説明】
【技術分野】
【０００１】
本発明はテール部分および巻き始め部分を糊付けしているトイレットペーパー等のロールペーパー類に関する。
【背景技術】
【０００２】
ロール状に巻かれたトイレットペーパーやペーパータオルは、テール部分（巻き終わり）及び巻き始め部分を糊付けしている。
この糊の特徴は、初期接着性に優れており、かつ消費者が使用する時は、テールシール（巻き終わり部分の糊付け）部がスムーズに剥がれることである。
又、吸水性のよいトイレットペーパー等において、糊を塗ったシート以外のシートへの糊の浸透ができるだけ少ないことである。
この糊は工業用に調合市販されているが、トイレットペーパーやペーパータオルの紙厚、坪量、エンボスによる表面形状の違い等で、糊付け強さが異なる。糊の塗布量、有効成分の濃度で、ある程度糊の接着強さをコントロールできるが、糊の浸透性や乾燥速度が変化するので操業性及び品質に影響する。
即ち、糊の塗布量が多いとテール部分がコンベアー上で擦れてちぎれたり、剥れたりし易い。また、糊が浸透しすぎると剥がす際、下層のシートまで破けてしまう。
【０００３】
【特許文献１】実開昭６１−９５３８９号公報
【特許文献２】特開２０００−２２９０４６公報
【発明の開示】
【発明が解決しようとする課題】
【０００４】
テールシールを有するトイレットペーパー等のロール状ペーパー類においてロールのテールシール部分が剥がし易く、かつテールシール部分の剥がしの際に下層のシートまで破れることなしに円滑に剥がしができるロール状ペーパー類およびそれに使用するテールシール用糊を提供する。
【課題を解決するための手段】
【０００５】
本発明はテールシールを施したロール状に巻かれたペーパー類において、該テールシールのシール糊に剥離調整剤として該シール糊の全重量に対し０．１％〜１０％のＣ７〜Ｃ２０の脂肪酸エステルおよび／または脂肪酸アミドの少なくとも１種を加えたことを特徴とするロール状ペーパー類に係わるものである。
【０００６】
また本発明はシール糊がでんぷん、ポリビニルアルコールまたはカルボキシメチルセルロースを各単独もしくは２種類ないしは３種類を混合したものを主成分とするロール状ペーパー類に係わる。
【０００７】
また本発明はロール状に巻かれたペーパー類がトイレットペーパーまたはペーパータオルであるロール状ペーパー類に係わる。
【０００８】
また本発明はロール状に巻かれたペーパー類の巻き始め部分にシール糊を施したロール状ペーパー類に係わる。
【０００９】
また本発明はでんぷん、ポリビニルアルコール、カルボキシメチルセルロースを単独または２種類または３種類を混合したものを主成分としこれに剥離調整剤として全重量に対し０．１％〜１０％のＣ７〜Ｃ２０の脂肪酸エステルおよび／または脂肪酸アミドの少なくとも１種を加えたことを特徴とする剥がし易い糊に係わる。
【００１０】
また本発明はロール状に巻かれたトイレットペーパーまたはペーパータオルのテール部分および／または巻き始め部分に使用されるロール状ペーパー類に係わる。
【００１１】
本発明はロール状に巻かれたトイレットペーパーやペーパータオル等に使用する厚さ、坪量、エンボス等表面形状の違いに適合した剥がし易い糊及びその糊を使用したトイレットペーパーまたはペーパータオルに係わるものである。
【００１２】
本発明のロールペーパー類への適用実施に使用されるテールシール用糊および／または巻き始めに使用される糊はでんぷん、ポリビニルアルコール、カルボキシメチルセルロースを単独または２種類または３種類を混合したものを主成分（全有効成分の中で１０％以上を占める成分）とする糊において、剥離調整剤としてＣ７〜Ｃ２０の脂肪酸エステル又は、脂肪酸アミドを０．１％〜１０％加えた糊である。
【発明の効果】
【００１３】
ロールペーパー類のテールシール用糊に、剥離調整剤としてＣ７〜Ｃ２０の脂肪酸エステルおよび／または脂肪酸アミドを０．１％〜１０％加えることにより、糊の硬さが軟らかくなり、これによってテールシール部分での剥離面が剥がし易くなることが認められ、その結果ロールペーパー類のテールシール部分が剥がし易くなり、しかも剥がしの際に下層のシートが破れるおそれも解消され、ロールペーパー類、特にトイレットペーパーにおける使用上の利便性において有利である。
【発明を実施するための最良の形態】
【００１４】
以下に本発明の実施例を示すが、本発明はこれのみに制約されるものではない。
【実施例】
【００１５】
市販グルーにモノステアリン酸ポリエチレングリコール（以後MS-PEGと略す）又はポリオキシエチレンヤシ油脂肪酸エタノールアミド（以後POE-EAと略す）を対グルー０．５，１，２，５，１０％添加し、実施例のグルーを作成しテールシール用グルーとして、２プライトイレットペーパー（スコッティーフレグランス）に０．５ｇ塗布した。
市販グルー単体を比較例として、浸透性、初期接着性、剥がし易さ、乾燥剥離強度について評価した。結果は表１、２に示す。
【００１６】
【表１】
0004619673.tif 000002
【００１７】
【表２】
0004619673.tif 000003
【００１８】
初期接着性：テールシールを行なった直後のロールを、１ｍの距離ころがしてテールシール部の剥がれ状態で評価した。
○：剥がれなし  △：一部剥がれあり  ×：全面剥がれ
剥がしやすさ：テールシールを剥がして、２枚目のシートの破損状態で評価した。
○：破損なし  △：一部破損はあるが使用上問題なし  ×：２枚目シート使用不可
乾燥剥離強度：テールシール後、４８時間室温で放置しテールシール部の糊が完全に乾燥したことを確認後、テンシロン万能試験機で１８０度剥離試験を行なった。
引っ張りスピード：３００ｍｍ／ｍｉｎ
試験片          ：１５０×１１４ｍｍ